(57)【要約】【課題】アップ撮影時に露光過多となることを防止する。【解決手段】写真プリントシステム１０は、利用者５０の撮影を行う撮影装置１２・１５と、撮影に基づいて画像を作成してプリント紙に出力する画像出力装置２８と、利用者５０を照明するストロボランプ６１とを備えている。ストロボランプ６１は、照射方向が利用者５０への方向から外れた方向である。【選択図】　図１
2004145245.tif 000002
【特許請求の範囲】
【請求項１】
被写体の撮影を行う撮影手段と、該撮影に基づいて画像を作成してプリント紙に出力する画像出力手段とを備える写真プリントシステムにおいて、
被写体を照明する照明手段を備えており、該照明手段は、照射方向が被写体への方向から外れた方向であることを特徴とする写真プリントシステム。
【請求項２】
上記撮影を行う空間である撮影空間の側方には、上記照明手段からの光を反射する反射手段を備えることを特徴とする請求項１に記載の写真プリントシステム。
【請求項３】
上記反射手段は、上記照明手段に近い位置から、上記撮影手段が近接撮影を行う場合に好適な被写体位置に近い位置までは、光の反射率が小さいことを特徴とする請求項２に記載の写真プリントシステム。
【請求項４】
上記近接撮影を行う場合に上記照明手段の照明により上記被写体に生じる不要な陰影を消去するように、被写体の一部を照射する補助照射手段を備えることを特徴とする請求項１ないし３に記載の写真プリントシステム。
【請求項５】
利用者の撮影を行う撮影手段と、該撮影に基づいて画像を作成してプリント紙に出力する画像出力手段とを備える写真プリントシステムにおいて、
利用者が上記撮影手段を操作する操作手段を撮影に好適な被写体位置付近に備えることを特徴とする写真プリントシステム。
【請求項６】
被写体の撮影を行う撮影手段と、該撮影に基づいて画像を作成してプリント紙に出力する画像出力手段とを備える写真プリントシステムにおいて、
上記撮影手段は、被写体の方に移動可能に配備されることを特徴とする写真プリントシステム。
【請求項７】
上記撮影手段の移動を検知する移動検知手段をさらに備えることを特徴とする請求項６に記載の写真プリントシステム。
【請求項８】
上記移動検知手段は、上記撮影手段の移動量を検知する移動量検知手段であることを特徴とする請求項７に記載の写真プリントシステム。
【請求項９】
上記撮影手段の撮影により取得された撮影画像を表示する撮影画像表示手段と、
上記移動量検知手段が検知した移動量に基づいて、上記撮影画像を拡大および／または縮小するデジタルズーム処理を行うデジタルズーム手段とをさらに備えており、
上記撮影画像表示手段は、デジタルズーム手段によってデジタルズーム処理された画像を撮影画像として表示することを特徴とする請求項８に記載の写真プリントシステム。
【請求項１０】
被写体の撮影を行う撮影手段と、該撮影に基づいて画像を作成してプリント紙に出力する画像出力手段とを備える写真プリントシステムにおいて、
上記撮影手段は、光学ズーム機能を有しており、
上記撮影手段の撮影により取得された撮影画像を表示する撮影画像表示手段と、
上記撮影手段の光学ズーム機能による倍率に基づいて、上記撮影画像を拡大および／または縮小するデジタルズーム処理を行うデジタルズーム手段とをさらに備えており、
上記撮影画像表示手段は、デジタルズーム手段によってデジタルズーム処理された画像を撮影画像として表示することを特徴とする写真プリントシステム。
【請求項１１】
上記デジタルズーム手段は、上記撮影画像に関して、中央部を拡大すると共に周辺部を縮小する処理、または中央部を縮小すると共に周辺部を拡大する処理をさらに行うことを特徴とする請求項９または１０に記載の写真プリントシステム。
【請求項１２】
被写体の撮影を行う撮影手段であって、上記被写体の方に移動可能な撮影手段と、上記撮影に基づいて画像を作成してプリント紙に出力する画像出力手段と、上記撮影手段の移動を検知する移動検知手段と、利用者に各種の情報を提供する情報提供手段とを備える写真プリントシステムの制御方法であって、
上記移動検知手段が上記撮影手段の移動を所定期間検知しない場合には、上記撮影手段が移動可能であることを、上記情報提供手段が利用者に通知するように制御することを特徴とする写真プリントシステムの制御方法。
【請求項１３】
被写体の撮影を行う撮影手段であって、上記被写体の方に移動可能な撮影手段と、上記撮影に基づいて画像を作成してプリント紙に出力する画像出力手段と、上記撮影手段の移動量を検知する移動量検知手段と、上記撮影手段の撮影により取得された撮影画像を表示する撮影画像表示手段とを備える写真プリントシステムの制御方法であって、
上記移動量検知手段が検知した移動量に基づいて、上記撮影画像を拡大および／または縮小するデジタルズーム処理を行い、
該デジタルズーム処理された画像を撮影画像として上記撮影画像表示手段に表示させることを特徴とする写真プリントシステムの制御方法。
【請求項１４】
上記デジタルズーム処理は、上記撮影手段が上記被写体に最接近した位置付近に移動する場合には、上記撮影画像に関して中央部を拡大すると共に周辺部を縮小する処理を行い、上記撮影手段が上記被写体から最離間した位置付近に移動する場合には、上記撮影画像に関して中央部を縮小すると共に周辺部を拡大する処理を行い、かつその他の場合には、上記撮影画像を等倍で拡大または縮小する処理を行うことを特徴とする請求項１３に記載の写真プリントシステムの制御方法。
【請求項１５】
被写体の撮影を行う撮影手段であって、光学ズーム機能を有する撮影手段と、上記撮影に基づいて画像を作成してプリント紙に出力する画像出力手段と、上記撮影手段の撮影により取得された撮影画像を表示する撮影画像表示手段とを備える写真プリントシステムの制御方法であって、
上記撮影手段の光学ズーム機能による倍率に基づいて、上記撮影画像を拡大および／または縮小するデジタルズーム処理を行い、
該デジタルズーム処理された画像を撮影画像として上記撮影画像表示手段に表示させることを特徴とする写真プリントシステムの制御方法。
【請求項１６】
上記デジタルズーム処理は、上記撮影手段の光学ズーム機能による倍率が最大付近となる場合には、上記撮影画像に関して中央部を拡大すると共に周辺部を縮小する処理を行い、上記倍率が最小付近となる場合には、上記撮影画像に関して中央部を縮小すると共に周辺部を拡大する処理を行い、かつその他の場合には、上記撮影画像を等倍で拡大または縮小する処理を行うことを特徴とする請求項１５に記載の写真プリントシステムの制御方法。
【請求項１７】
請求項１２ないし１６の何れか１項に記載の写真プリントシステムの制御方法をコンピュータに実行させるための写真プリントシステムの制御プログラム。
【請求項１８】
請求項１７に記載の写真プリントシステムの制御プログラムを記録したコンピュータ読取り可能な記録媒体。
【請求項１９】
請求項１ないし１１のいずれか１項に記載の写真プリントシステムに用いられるプリント紙ユニットであって、
画像が印刷されるプリント紙と、上記プリント紙に関する識別情報を記録する識別媒体とを備え、
上記写真プリントシステムに備えられた識別情報読取手段によって、上記識別媒体に記録されている識別情報が読み取られ、その内容が確認された上で上記プリント紙に画像が出力されることを特徴とするプリント紙ユニット。
【発明の詳細な説明】
【０００１】
【発明の属する技術分野】
本発明は、被写体を撮影するとともに、該撮影により取得された画像に基づき、所望の場合には該画像に編集処理を施した上で、シール紙などのプリント紙にプリント出力する写真プリントシステム、該システムの制御方法および制御プログラム、該プログラムを記録した記録媒体、ならびにプリント紙ユニットに関するものである。
【０００２】
【従来の技術】
従来、例えばゲームセンターなどの娯楽施設において、利用者の撮影を行うとともに、その撮影によって取得された撮影画像に対して、背景画像などと合成した上でシールプリントとして出力する写真シール自動販売機が設置されており、人気を博している。
【０００３】
一般に、上記写真シール自動販売機には、ストロボランプなどの写真閃光灯が、少なくとも、利用者を撮影する撮影カメラの付近に設けられている。撮影時には、上記写真閃光灯が利用者に向けて照射され、その反射光が撮影カメラに入射されることにより、撮影画像が取得される。
【０００４】
また、上記写真シール自動販売機の中には、利用者の体の一部が画面に収まるサイズで撮影されるアップ撮影（クローズアップ撮影）と、利用者の全身が画面に収まるサイズで撮影される全身撮影（フル撮影）との両方の機能を有する機種がある。
【０００５】
【発明が解決しようとする課題】
アップ撮影を行う場合、たとえ撮影カメラにズーム機能を有していても、撮影カメラに接近しすぎる利用者が多い。この場合、撮影カメラの付近に設けられた写真閃光灯にも接近しすぎることになり、写真閃光灯から被写体への照射量が多くなりすぎて、露光過多の画像となる。
【０００６】
本発明は上記の問題点を解決するためになされたもので、その目的は、アップ撮影時に露光過多となることを防止する写真プリントシステム等を提供することを目的とする。
【０００７】
【課題を解決するための手段】
上記の課題を解決するために、本発明の写真プリントシステムは、被写体の撮影を行う撮影手段と、該撮影に基づいて画像を作成してプリント紙に出力する画像出力手段とを備える写真プリントシステムにおいて、被写体を照明する照明手段を備えており、該照明手段は、照射方向が被写体への方向から外れた方向であることを特徴としている。
【０００８】
上記の構成によると、照明手段の照射方向が被写体への方向から外れているため、照明手段から被写体に直接照射される光量が減少し、照明手段から他の部材にて反射して被写体に間接照射される光量が増加する。この場合、被写体が撮影手段に接近することにより被写体と照明手段との距離が短くなっても、照明手段から被写体に直接照射される光量が従来よりも少ないから、被写体に照射される光量の増加量を従来よりも抑えることができる。したがって、撮影手段に被写体が接近しすぎても、被写体の照度の増加を抑えることができ、露光過多の撮影となることを防止できる。
【０００９】
さらに、本発明の写真プリントシステムは、上記の構成において、上記撮影を行う空間である撮影空間の側方には、上記照明手段からの光を反射する反射手段を備えることを特徴としている。
【００１０】
上記の構成によると、照明手段からの光は、撮影空間の側方に配備された反射手段にて反射される。これにより、照明手段から被写体に直接照射される光量が減少しても、照明手段から反射手段にて反射して被写体に間接照射される光量が増加するから、照明手段の照射方向が被写体への方向から外れることによる被写体の照度の低下を防止することができる。
【００１１】
ところで、撮影画像と背景画像との合成には、撮影画像の背景領域を、白色、青色などの特定色とすることにより、撮影画像の背景領域と被写体領域とを容易に分離し、分離された被写体領域を背景画像と合成するクロマキー合成が一般に利用されている。このとき、撮影画像の背景部分を特定色とするため、被写体の後方に特定色の背景幕や背景板などが配備される。
【００１２】
しかしながら、照明手段が被写体に向けて照射される従来の場合では、上記背景幕に被写体の影が映るため、被写体の影が背景に映った撮影画像が得られる。このため、撮影画像の背景領域が不均一な明るさとなり、撮影画像に背景画像を合成した合成画像の背景領域にムラが生じていた。
【００１３】
これに対して、上記の構成では、照明手段からの光は、撮影空間の側方の反射手段にて反射することにより、被写体を回り込んで、被写体の後方の背景幕に達することができる。これにより、背景幕に被写体の影が映ることを防止でき、撮影画像の背景領域が均一な明るさとなるから、撮影画像と背景画像との合成を精度よく行うことができる。
【００１４】
さらに、本発明の写真プリントシステムは、上記の構成において、上記反射手段は、上記照明手段に近い位置から、上記撮影手段が近接撮影を行う場合に好適な被写体位置に近い位置までは、光の反射率が小さいことを特徴としている。
【００１５】
一般に、被写体の前面には、主に照明手段からの光が直接照射され、側面には、主に照明手段からの光が撮影空間の側方の反射手段にて反射された反射光が照射される。また、被写体をムラ無く撮影するために、被写体の照度が均一となるように、照明手段から軟らかい光が被写体に照射されている。一方で、近接撮影の場合には、陰影により立体感のある撮影画像とすることが好まれる。
【００１６】
そこで、上記の構成では、反射手段は、照明手段に近い位置から、近接撮影を行う場合に好適な被写体位置に近い位置までは、光の反射率が小さくなっている。このため、近接撮影の場合には、反射手段にて反射されて被写体の側面に照射される光が少なくなる。これにより、被写体の側面に照射される光の量が、被写体の前面に照射される光の量よりも少なくなるので、被写体に陰影が生じ、その結果、立体感のある撮影画像を取得することができる。
【００１７】
さらに、本発明の写真プリントシステムは、上記の構成において、上記近接撮影を行う場合に上記照明手段の照明により上記被写体に生じる不要な陰影を消去するように、被写体の一部を照射する補助照射手段を備えることを特徴としている。
【００１８】
上述のように、被写体の側面に照射される光の量を、被写体の前面に照射される光の量よりも少なくすると、被写体に陰影が生じる。このとき、例えば被写体が利用者である場合、利用者の顎部の影など、利用者が所望しない影をも生じてしまい、利用者の撮影画像に対する満足度を低下させることになる。
【００１９】
これに対し、上記の構成によると、補助照明手段が被写体の一部を照射することにより、利用者が所望しない陰影を消去することができ、その結果、利用者の撮影画像に対する満足度を維持することができる。
【００２０】
ところで、被写体が利用者である場合、利用者は、十分満足できる撮影を行うために、補助照明手段が照射する位置にとどまる傾向にある。そこで、補助照明手段を、撮影に好適な被写体位置にいる被写体を照射するように配置すれば、近接撮影の場合に利用者が撮影手段に接近することを防止でき、露光過多の撮影となることを防止できる。
【００２１】
また、本発明の写真プリントシステムは、利用者の撮影を行う撮影手段と、該撮影に基づいて画像を作成してプリント紙に出力する画像出力手段とを備える写真プリントシステムにおいて、利用者が上記撮影手段を操作する操作手段を撮影に好適な被写体位置付近に備えることを特徴としている。
【００２２】
上記の構成によると、利用者は、撮影手段を操作して撮影を行うときには、撮影手段を操作する操作手段の存在する位置、すなわち、撮影に好適な被写体位置付近にとどまる必要がある。これにより、利用者が撮影手段に近づきすぎることを防止でき、露光過多の撮影となることを防止できる。
【００２３】
また、本発明の写真プリントシステムは、被写体の撮影を行う撮影手段と、該撮影に基づいて画像を作成してプリント紙に出力する画像出力手段とを備える写真プリントシステムにおいて、上記撮影手段は、被写体の方に移動可能に配備されることを特徴としている。
【００２４】
上記の構成によると、撮影手段は被写体の方に移動可能に配備されている。この場合、被写体を撮影手段に接近させたい場合に撮影手段を被写体の方に移動させると、たとえ被写体が撮影手段に接近しすぎても、被写体が照明手段に接近しすぎることにはならない。したがって、被写体の照度が過度に増加することがないので、露光過多の撮影となることを防止できる。
【００２５】
さらに、本発明の写真プリントシステムは、上記の構成において、上記撮影手段の移動を検知する移動検知手段をさらに備えることを特徴としている。
【００２６】
ところで、上記構成の写真プリントシステムの利用者は、撮影手段が移動可能であることに気付かない場合や、撮影手段を移動させることを躊躇する場合がある。
【００２７】
そこで、上記の構成によると、移動検知手段が撮影手段の移動を検知しない場合には、スピーカの音声出力やディスプレイの画像出力などにより、撮影手段が移動可能であることを利用者に知らせたり、撮影手段を移動させることを利用者に促したりすることができる。
【００２８】
なお、移動検知手段としては、振動センサ、加速度センサなど、撮影手段の移動を検知できる任意のセンサを利用することができる。また、写真プリントシステムが、撮影手段を移動させるモータ等の駆動手段と、該駆動手段による撮影手段の移動を利用者が操作する操作手段とを備える場合には、操作手段の操作により撮影手段が移動するから、操作手段を移動検知手段とすることができる。このように、移動検知手段には、撮影手段の移動を直接的に検知する手段だけでなく、間接的に検知する手段も含まれる。
【００２９】
さらに、本発明の写真プリントシステムは、上記の構成において、上記移動検知手段は、上記撮影手段の移動量を検知する移動量検知手段であることを特徴としている。
【００３０】
上記の構成によると、移動量検知手段は撮影手段の移動量を検知できるので、スピーカの音声出力やディスプレイの画像出力などにより、利用者に移動量や残りの移動可能量などを知らせることができる。また、移動量検知手段が検知した撮影手段の移動量に基づいて、ストロボランプなどの撮影用照明装置の光量を調整することにより、撮影手段の移動量に対応して最適な光量を設定することができる。
【００３１】
このように、移動量検知手段を設けることにより、撮影手段の移動量に応じて利用者への種々の通知を行うことができるとともに、最適な各種設定を行うことができる。
【００３２】
なお、移動量検知手段の例としては、上記加速度センサおよびロータリーエンコーダが挙げられる。また、写真プリントシステムが、撮影手段を移動させるモータを備えており、該モータにロータリーエンコーダが内蔵されている場合には、該ロータリーエンコーダを移動量検知手段として利用することができる。
【００３３】
さらに、本発明の写真プリントシステムは、上記の構成において、上記撮影手段の撮影により取得された撮影画像を表示する撮影画像表示手段と、上記移動量検知手段が検知した移動量に基づいて、上記撮影画像を拡大および／または縮小するデジタルズーム処理を行うデジタルズーム手段とをさらに備えており、上記撮影画像表示手段は、デジタルズーム手段によってデジタルズーム処理された画像を撮影画像として表示することを特徴としている。
【００３４】
ところで、撮影手段の移動可能量が少ないために、撮影手段を移動するのみでは、被写体の拡大撮影または縮小撮影が不十分である場合がある。そこで、上記の構成によると、撮影手段の移動量に基づいて、デジタルズーム手段が撮影画像のデジタルズーム処理を行い、デジタルズーム処理された画像が撮影画像として撮影画像表示手段に表示される。
【００３５】
これにより、撮影手段の移動のみでは不十分な被写体の拡大撮影または縮小撮影をデジタルズーム処理で補うことができ、被写体の十分な拡大撮影または縮小撮影を行うことができる。また、デジタルズーム処理された画像を撮影画像として撮影画像表示手段に表示することにより、利用者が撮影画像表示手段に表示された画像を参照しながら、適当な倍率で撮影することができる。
【００３６】
また、本発明の写真プリントシステムは、被写体の撮影を行う撮影手段と、該撮影に基づいて画像を作成してプリント紙に出力する画像出力手段とを備える写真プリントシステムにおいて、上記撮影手段は、光学ズーム機能を有しており、上記撮影手段の撮影により取得された撮影画像を表示する撮影画像表示手段と、上記撮影手段の光学ズーム機能による倍率に基づいて、上記撮影画像を拡大および／または縮小するデジタルズーム処理を行うデジタルズーム手段とをさらに備えており、上記撮影画像表示手段は、デジタルズーム手段によってデジタルズーム処理された画像を撮影画像として表示することを特徴としている。
【００３７】
上記の構成によると、撮影手段の光学ズーム機能による倍率に基づいて、デジタルズーム手段が撮影画像のデジタルズーム処理を行い、デジタルズーム処理された画像が撮影画像として撮影画像表示手段に表示される。
【００３８】
これにより、撮影手段の光学ズームのみでは不十分な被写体の拡大撮影または縮小撮影をデジタルズーム処理で補うことができ、被写体の十分な拡大撮影または縮小撮影を行うことができる。また、デジタルズーム処理された画像を撮影画像として撮影画像表示手段に表示することにより、利用者が撮影画像表示手段に表示された画像を参照しながら、適当な倍率で撮影することができる。
【００３９】
さらに、本発明の写真プリントシステムは、上記の構成において、上記デジタルズーム手段は、上記撮影画像に関して、中央部を拡大すると共に周辺部を縮小する処理、または中央部を縮小すると共に周辺部を拡大する処理をさらに行うことを特徴としている。
【００４０】
上記の構成において、被写体が中央部に撮影されると、被写体が適当に拡大または縮小されるとともに、背景が歪んだ面白い画像を取得することができる。
【００４１】
また、本発明の写真プリントシステムの制御方法は、被写体の撮影を行う撮影手段であって、上記被写体の方に移動可能な撮影手段と、上記撮影に基づいて画像を作成してプリント紙に出力する画像出力手段と、上記撮影手段の移動を検知する移動検知手段と、利用者に各種の情報を提供する情報提供手段とを備える写真プリントシステムの制御方法であって、上記移動検知手段が上記撮影手段の移動を所定期間検知しない場合には、上記撮影手段が移動可能であることを、上記情報提供手段が利用者に通知するように制御することを特徴としている。
【００４２】
ここで、情報提供手段としては、ディスプレイ、スピーカなど、利用者の視覚や聴覚を通じて情報を伝達できる任意の手段を利用することができる。
【００４３】
上記の方法によると、移動検知手段が撮影手段の移動を所定期間検知しない場合には、撮影手段が移動可能であることを、情報提供手段が利用者に通知するように制御される。これにより、上述のように、撮影手段が移動可能であることを利用者に知らせたり、撮影手段を移動させることを利用者に促したりすることができる。
【００４４】
また、本発明の写真プリントシステムの制御方法は、被写体の撮影を行う撮影手段であって、上記被写体の方に移動可能な撮影手段と、上記撮影に基づいて画像を作成してプリント紙に出力する画像出力手段と、上記撮影手段の移動量を検知する移動量検知手段と、上記撮影手段の撮影により取得された撮影画像を表示する撮影画像表示手段とを備える写真プリントシステムの制御方法であって、上記移動量検知手段が検知した移動量に基づいて、上記撮影画像を拡大および／または縮小するデジタルズーム処理を行い、該デジタルズーム処理された画像を撮影画像として上記撮影画像表示手段に表示させることを特徴としている。
【００４５】
上記の方法によると、移動量検知手段が検知した撮影手段の移動量に基づいて、撮影画像を拡大および／または縮小するデジタルズーム処理を行い、デジタルズーム処理された画像を撮影画像として撮影画像表示手段に表示させるように制御される。
【００４６】
これにより、撮影手段の移動のみでは不十分な被写体の拡大撮影または縮小撮影をデジタルズーム処理で補うことができ、被写体の十分な拡大撮影または縮小撮影を行うことができる。また、デジタルズーム処理された画像を撮影画像として撮影画像表示手段に表示することにより、利用者が撮影画像表示手段に表示された画像を参照しながら、適当な倍率で撮影することができる。
【００４７】
さらに、本発明の写真プリントシステムの制御方法は、上記の方法において、上記デジタルズーム処理は、上記撮影手段が上記被写体に最接近した位置付近に移動する場合には、上記撮影画像に関して中央部を拡大すると共に周辺部を縮小する処理を行い、上記撮影手段が上記被写体から最離間した位置付近に移動する場合には、上記撮影画像に関して中央部を縮小すると共に周辺部を拡大する処理を行い、かつその他の場合には、上記撮影画像を等倍で拡大または縮小する処理を行うことを特徴としている。
【００４８】
上記の方法によると、撮影手段が被写体に対し最接近または最離間した位置付近、すなわち、撮影手段の移動限界点付近に移動する場合には、中央部と周辺部とで倍率の異なる画像を取得することができ、歪んだ面白い画像を取得することができる。また、撮影手段がその他の位置に移動する場合には、中央部と周辺部とで倍率の等しい画像を取得することができ、正確な拡大画像または縮小画像を取得することができる。したがって、利用者に正確な撮影画像と面白い撮影画像との両方を提供することができる。
【００４９】
また、本発明の写真プリントシステムの制御方法は、被写体の撮影を行う撮影手段であって、光学ズーム機能を有する撮影手段と、上記撮影に基づいて画像を作成してプリント紙に出力する画像出力手段と、上記撮影手段の撮影により取得された撮影画像を表示する撮影画像表示手段とを備える写真プリントシステムの制御方法であって、上記撮影手段の光学ズーム機能による倍率に基づいて、上記撮影画像を拡大および／または縮小するデジタルズーム処理を行い、該デジタルズーム処理された画像を撮影画像として上記撮影画像表示手段に表示させることを特徴としている。
【００５０】
上記の方法によると、撮影手段の光学ズーム機能による倍率に基づいて、撮影画像のデジタルズーム処理を行い、デジタルズーム処理された画像が撮影画像として撮影画像表示手段に表示させるように制御される。
【００５１】
これにより、撮影手段の光学ズームのみでは不十分な被写体の拡大撮影または縮小撮影をデジタルズーム処理で補うことができ、被写体の十分な拡大撮影または縮小撮影を行うことができる。また、デジタルズーム処理された画像を撮影画像として撮影画像表示手段に表示することにより、利用者が撮影画像表示手段に表示された画像を参照しながら、適当な倍率で撮影することができる。
【００５２】
さらに、本発明の写真プリントシステムの制御方法は、上記の方法において、上記デジタルズーム処理は、上記撮影手段の光学ズーム機能による倍率が最大付近となる場合には、上記撮影画像に関して中央部を拡大すると共に周辺部を縮小する処理を行い、上記倍率が最小付近となる場合には、上記撮影画像に関して中央部を縮小すると共に周辺部を拡大する処理を行い、かつその他の場合には、上記撮影画像を等倍で拡大または縮小する処理を行うことを特徴としている。
【００５３】
上記の方法によると、撮影手段の光学ズーム機能による倍率が最大付近または最小付近、すなわち、上記倍率の限界点付近に移動する場合には、中央部と周辺部とで倍率の異なる画像を取得することができ、歪んだ面白い画像を取得することができる。また、撮影手段がその他の位置に移動する場合には、中央部と周辺部とで倍率の等しい画像を取得することができ、正確な拡大画像または縮小画像を取得することができる。したがって、利用者に正確な撮影画像と面白い撮影画像との両方を提供することができる。
【００５４】
なお、上記の写真プリントシステムの制御方法を写真プリントシステムの制御プログラムとしてコンピュータに実行させることができる。さらに、上記写真プリントシステムの制御プログラムをコンピュータ読取り可能な記録媒体に記憶させることにより、任意のコンピュータ上で上記写真プリントシステムの制御方法を実行させることができる。
【００５５】
また、本発明のプリント紙ユニットは、上記の写真プリントシステムに用いられるプリント紙ユニットであって、画像が印刷されるプリント紙と、上記プリント紙に関する識別情報を記録する識別媒体とを備え、上記写真プリントシステムに備えられた識別情報読取手段によって、上記識別媒体に記録されている識別情報が読み取られ、その内容が確認された上で上記プリント紙に画像が出力されることを特徴としている。
【００５６】
上記の構成によれば、識別情報読取手段で読み取った識別情報に基づいて、装着されたプリント紙が、当該写真プリントシステムにおいて利用可能なものであるかを判定し、利用可能である場合にのみプリンタを動作可能とすることが可能となる。すなわち、写真プリントシステムにおいて指定されているプリント紙以外は使用できないように設定することが可能となる。
【００５７】
また、識別情報に用紙枚数情報を含ませることによって、プリント紙を使用するごとに用紙枚数をカウントダウンすることにより、残りの用紙枚数を把握することが可能となる。よって、残りの用紙枚数が少なくなってきた際に、これを表示手段などによって警告するような構成としておけば、利用者の利用中に用紙切れを起こすというような不具合を回避することが可能となる。
【００５８】
また、識別情報に用紙種類情報を含ませることによって、これらを考慮して画像データの色成分などを補正することにより、その用紙やインクフィルムに的確な画像出力を行うことが可能となる。
【００５９】
【発明の実施の形態】
〔実施の形態１〕
本発明の一実施形態について図１〜図８に基づいて説明すれば、以下のとおりである。図１は、本実施形態である写真プリントシステムのうち、特に写真撮影を行う撮影空間を形成する構成と、該撮影空間に配備される構成との概要を示している。
【００６０】
上記写真プリントシステム１０には、利用者５０ａ・ｂを被写体としてそれぞれ撮影する撮影装置（撮影手段）１５・１２（図２を参照）を備える本体装置１１と、被写体の背景となる背景装置４０とが配備されている。本体装置１１から背景装置４０までの周囲および上部は、外部からの光を遮断する遮光幕３３・３４・３７によって覆われ、これにより撮影空間が形成される。なお、以下では、本体装置１１が配備される側を「前側」とし、背景装置４０が配備される側を「後側」とする。また、利用者を総称する場合には「利用者５０」と記載する。
【００６１】
本体装置１１には、撮影装置１２・１５の他に、被写体である利用者５０を照明する照明手段として機能する蛍光灯６０ａ・ｂ、ストロボランプ６１ａ・ｂ、反射壁６４、および拡散透過板１８ａ〜ｅが配備される。なお、以下では、蛍光灯を総称する場合には「蛍光灯６０」と記載し、ストロボランプを総称する場合には「ストロボランプ６１」と記載し、拡散透過板を総称する場合には「拡散透過板１８」と記載することにする。
【００６２】
蛍光灯６０は、撮影時の照明として機能するとともに、通常時の撮影空間の照明としても機能する。具体的には、蛍光灯６０は、撮影時に撮影装置１２・１５が撮影するライブビューの光量を確保するとともに、例えば、「きれいな写真がとれそう」という印象を利用者５０に与えるといったような、照明による撮影空間の演出を行う。蛍光灯６０ａ・６０ａは、本体装置１１内の両側にそれぞれ配備され、蛍光灯６０ｂは、本体装置１１内の上部に配備される。
【００６３】
ストロボランプ６１は、撮影時の写真閃光灯として機能するものであり、本体装置１１内における撮影装置１２・１５の両側に配備される。なお、本実施形態では撮影装置としてアップ撮影用と全身撮影用との２台の撮影装置１５・１２が配備されるので、アップ撮影装置１５の両側にストロボランプ６１ａ・６１ａが配備され、全身撮影装置１２の両側にストロボランプ６１ｂ・６１ｂが配備される。
【００６４】
ストロボランプ６１は、前方外向き、すなわち蛍光灯６０ａの方向に向けて発光するように配置される。ストロボランプ６１からの光は、その両側に設けられた反射板により、蛍光灯６０ａの方向に導かれる。
【００６５】
反射壁６４は、蛍光灯６０およびストロボランプ６１の前方に配備される。蛍光灯６０およびストロボランプ６１から前方に照射された光は、反射壁６４によって後方へ反射される。
【００６６】
蛍光灯６０およびストロボランプ６１から照射された光、並びに反射壁６４にて反射した光は、拡散透過板１８にて拡散透過して撮影空間に照射される。拡散透過板１８は、本体装置１１の後面部および側面部に配備される。
【００６７】
特に、上部のストロボランプ６１ａ・６１ａから照射される光は、その大部分が、反射壁６４にて反射した後、本体装置１１の後面部両側の中央部から上部にかけて配備される拡散透過板１８ａ・１８ａにて拡散透過して撮影空間に照射される。
【００６８】
注目すべきは、前記拡散透過板１８ａ・１８ａは、その法線方向が利用者５０への方向から外れた方向、すなわち、後方外向きとなるように配置されていることである。これにより、拡散透過板１８ａ・１８ａを通過した光は、後方外向きに照射されることになるので、利用者５０に直接照射される光量が減少し、遮光幕３３・３４などで反射して利用者５０に間接照射される光量が増加する。
【００６９】
この場合、アップ撮影を行う利用者５０ａがアップ撮影装置１５に接近することにより利用者５０ａと拡散透過板１８ａ・１８ａとの距離が短くなっても、拡散透過板１８ａ・１８ａから利用者５０ａに直接照射される光量が従来よりも少ないから、利用者５０ａに照射される光量の増加を抑えることができる。したがって、アップ撮影装置１５に利用者５０ａが接近しすぎても、利用者５０ａの照度の増加を抑えることができ、露光過多の撮影となることを防止することができる。
【００７０】
本体装置１１の両側面部には、反射幕１９・１９が配備される。各反射幕１９は、側面部の拡散透過板１８ｂ・１８ｄを拡散透過した外向きの光を反射して後向きの光とするように斜め方向に配置される。これにより、利用者５０に間接照射する光量を増加させることができる。さらに、以下の効果も奏する。
【００７１】
写真プリントシステムは、ゲームセンターなどの店舗に設置する場合には、店舗内のスペースを有効利用するためにも、写真プリントシステムの横幅はできる限り狭いことが望ましい。
【００７２】
これに対して、上記の構成とすると、本体装置１１から後方の撮影空間へ照射する発光面が、従来の本体装置１１の後面部から、本体装置１１の両側の反射幕１９・１９まで広がることになり、発光面が広い、すなわち横幅の大きな本体装置に匹敵する照明効果を得ることができる。
【００７３】
なお、反射幕１９・１９の材料としては、光を反射する性質を有する材料であれば、金属、樹脂材、幕材など任意の材料を利用することができる。また、反射幕１９・１９の代わりに、板状の反射部材を使用することもできる。
【００７４】
遮光幕３３・３４・３７は、遮光性を有するビニールシートなどから構成されており、外部からの光が撮影空間に入ることを防止している。遮光幕３３・３４・３７を設けることにより、より良好な写真撮影を行うことが可能となるとともに、撮影処理中に照明や音声による演出が効果的になる。
【００７５】
また、利用者５０のアップ撮影に好適な被写体位置付近の両側には、支柱３１・３１が配備される。右側の支柱３１の適所には、利用者５０が写真撮影における各種の操作を行う遠隔操作機（操作手段）３２が配備される。遠隔操作機３２にて行われる操作の例としては、撮影枚数や撮影時間の選択操作、背景装置４０における背景の選択、撮影開始の操作が挙げられる。
【００７６】
遠隔操作機３２がアップ撮影に好適な被写体位置付近に配備されることにより、利用者５０は、写真撮影を行うときには、遠隔操作機３２の存在する位置、すなわち、アップ撮影に好適な位置付近にとどまることになる。したがって、利用者５０がアップ撮影装置１５に近づきすぎることを防止でき、露光過多の撮影となることを防止することができる。
【００７７】
支柱３１・３１より後側の遮光幕３４・３４は、例えば白色のような反射率の高い色が内側に施されている。これにより、遮光幕３４・３４の内側は、拡散透過板１８からの光を反射する反射手段として機能する。これにより、十分な光量の光を利用者５０および背景装置４０に照射することができる。
【００７８】
また、撮影位置が支柱３１・３１より後側となる全身撮影の利用者５０ｂに対しては、側方からの光量が増加することにより、前面の照度と側面の照度とを揃えることができる。これにより、利用者５０ｂを均一な明るさで照明することができ、利用者５０ｂの陰影が少ない撮影画像を取得することができる。
【００７９】
特に、遮光幕３４・３４の内側にて反射した光は、利用者５０を回り込んで背景本体４２に到達することができる。これにより、背景本体４２の照度を均一とすることができ、特定色の施された背景本体４２を背景として撮影した場合に、撮影画像の背景領域が均一な明るさとなる。したがって、撮影画像の背景領域と被写体領域とを精度よく分離することができ、被写体領域と背景画像との合成を精度よく行うことができる。
【００８０】
本体装置１１から支柱３１・３１にかけては、利用者５０の出入口となる。したがって、本体装置１１から支柱３１・３１にかけて配備される遮光幕３３・３３は、カーテンレールに取り付けたり、上端のみ固定することにより捲り上げることができるようにしたりすることにより開閉可能に配備されることが望ましい。なお、遮光幕３３・３３は、防犯上の理由から下部が空いている。
【００８１】
注目すべきは、支柱３１・３１より前側の遮光幕３３・３３は、支柱３１・３１より後側の遮光幕３４・３４とは異なり、例えば黒色のような反射率の低い色が内側に施されていることである。これにより、遮光幕３３・３３にて反射する光量が減少することになる。
【００８２】
この場合、撮影位置が支柱３１・３１の間付近または支柱３１・３１よりも前側となるアップ撮影の利用者５０ａに対しては、側方からの光量が抑えられることにより、前面の照度よりも側面の照度の方が低くなる。これにより、利用者５０ａの陰影が多い、立体感のある撮影画像を取得することができる。
【００８３】
次に、写真プリントシステム１０のその他の構成について図２〜図５に基づいて説明する。図２および図３は、写真プリントシステム１０の概略構成を示しており、特に図２は、本体装置１１の後側の外観を示している。また、図４は、本体装置１１の前側の外観を示している。まず、本体装置１１の各構成について説明する。
【００８４】
本体装置１１の後面部には、図２に示されるように、全身撮影装置１２、アップ撮影装置１５、拡散透過板１８ａ・１８ｃ・１８ｅ、ディスプレイ２０、コイン投入口２２、コイン返却口２３、およびスポットライト６２が配備される。また、本体装置１１の上面部には、拡散透過板１８ｆ、反射器６５、およびスピーカ２１・２１が配備される。
【００８５】
また、本体装置１１の前面部には、図３に示されるように、スピーカ２１ｃ、タッチパネル２４・２４、タッチペン２５・２５、および照明装置５５が配備される。また、本体装置１１の側面部には、拡散透過板１８ｂ・１８ｄ、反射幕１９・１９、スピーカ２１ｄ、およびプリント排出口２６が配備される。
【００８６】
また、本体装置１１の内部には、図３および図６に示されるように、制御装置２７、プリント出力装置２８、コイン処理装置８１、およびプリント紙ユニット９０が配備されている。
【００８７】
本体装置１１の後面部の中央部には、各種画像の表示を行うディスプレイ２０が配備される。ディスプレイ２０は、ＣＲＴ（Ｃａｔｈｏｄｅ　Ｒａｙ　Ｔｕｂｅ）や例えばＬＣＤ（Ｌｉｑｕｉｄ　Ｃｒｙｓｔａｌ　Ｄｉｓｐｌａｙ）などのフラットパネルディスプレイなどによって構成される。
【００８８】
ディスプレイ２０の下部には、被写体である利用者５０の全身撮影を行う全身撮影装置１２が配備されるとともに、ディスプレイ２０の上部には、利用者のアップ撮影を行うアップ撮影装置１５が配備される。
【００８９】
全身撮影装置１２は、撮影を行うカメラ１３と、該カメラ１３によって撮影されるライブビュー画像を表示するＬＣＤ（液晶ディスプレイ）１４とを備える構成である。カメラ１３は、例えばレンズ群、絞り、ＣＣＤ（Ｃｈａｒｇｅ　Ｃｏｕｐｌｅｄ　Ｄｅｖｉｃｅ）撮像素子などを備えたデジタルカメラによって構成され、利用者５０の全身を撮影できるように上斜め方向に向けて配置される。ＬＣＤ１４は、その表示画面を利用者が確認できるように上斜め方向に向けて配置される。
【００９０】
アップ撮影装置１５は、撮影を行うカメラ１６と、該カメラ１６によって撮影されるライブビュー画像を表示するＬＣＤ１７とを備える構成である。カメラ１６は、例えばレンズ群、絞り、ＣＣＤ撮像素子などを備えたデジタルカメラによって構成され、利用者５０の一部（特に利用者の上半身）を撮影できるように下斜め方向に向けて配置され、ＬＣＤ１７は、その表示画面を利用者が確認できるように下斜め方向に向けて配置される。
【００９１】
また、アップ撮影装置１５は、本体装置１１から後方へ移動可能に配備されている。この場合、アップ撮影を行う利用者５０ａがアップ撮影装置１５に近づきたい場合にアップ撮影装置１５を後方に移動させると、たとえ利用者５０ａがアップ撮影装置１５に近づきすぎても、利用者５０ａが蛍光灯６０ａ・６０ｂおよびストロボランプ６１ａ・６１ｂに近づきすぎることにはならない。従って、利用者５０ａの照度が過度に増加することがないので、露光過多の撮影となることを防止できる。
【００９２】
図５は、アップ撮影装置１５と、本体装置１１におけるアップ撮影装置１５の収容部とを詳細に示している。アップ撮影装置１５には筐体が配備され、該筐体の後面部には、上からカメラ１６およびＬＣＤ１７が配備される。筐体内には、カメラ１６およびＬＣＤ１７を動作させるための各種のデバイスが配備される。また、筐体の後面部の下側には、利用者５０がアップ撮影装置１５を移動させるための取っ手７７が突設される。
【００９３】
アップ撮影装置１５の筐体の前部中央から突出した突出部には、モータ７１が配備され、モータ７１の回転軸には、電磁クラッチ７２を介してピニオン７３が配備される。また、前記筐体の前部両側からスライダ７６…が突設される。
【００９４】
一方、本体装置１１におけるアップ撮影装置１５の収容部には、アップ撮影装置１５のピニオン７３と噛合するラック７４と、アップ撮影装置１５のスライダ７６…が摺動するレール７５…とが配備される。なお、モータ７１、電磁クラッチ７２、ピニオン７３、およびラック７４は、アップ撮影装置１５を前後方向に移動させるカメラ移動装置７０として機能する。
【００９５】
上記の構成によると、電磁クラッチ７２によりモータ７１とピニオン７３との間が繋がっていない場合には、利用者５０は、取っ手７７を用いてアップ撮影装置１５を前後に手動で移動させることができる。また、モータ７１とピニオン７３との間が繋がっている場合には、利用者５０による遠隔操作機３２の操作に基づいてモータ７１が駆動されることにより、アップ撮影装置１５を前後に自動的に移動させることができる。
【００９６】
取っ手７７を用いてアップ撮影装置１５を手動で移動させると、利用者５０ａは、アップ撮影装置１５を前後に移動可能であることを実感でき、次回の撮影から、アップ撮影装置１５の移動を迷うことなく行うことができるので、写真撮影を効率よく行うことができる。一方、モータ７１を駆動してアップ撮影装置１５を自動的に移動させると、利用者５０ａの労力が軽減される。
【００９７】
図８は、本体装置１１に対するアップ撮影装置１５の位置（以下、「カメラ位置」と称する。）に応じて、ＬＣＤ１７に表示されるライブビュー画像がどのように変化するかを示している。同図の左側には、カメラ位置を示すため、本体装置１１の収容部とアップ撮影装置１５との位置関係が示されている。また、同図の右側には、同図左側のカメラ位置にアップ撮影装置１５が移動した場合にＬＣＤ１７に表示されるライブビュー画像が示されている。
【００９８】
また、同図（ａ）は、アップ撮影装置１５が本体装置１１に最大限収容された状態を示している。この状態におけるカメラ位置ｘを０とする。また、同図（ｅ）は、アップ撮影装置１５が本体装置１１から最大限突出した状態を示している。この状態におけるカメラ位置ｘを１０とする。
【００９９】
そして、図８（ｂ）〜（ｄ）は、アップ撮影装置１５が同図（ａ）の状態から同図（ｅ）の状態に移動する間の状態を示している。特に、同図（ｃ）は、同図（ａ）および同図（ｅ）のちょうど中間の状態を示している。この状態におけるカメラ位置ｘは５となる。
【０１００】
図８を参照すると、カメラ位置ｘが大きくなるにつれて、すなわち、アップ撮影装置１５が利用者５０に近づくにつれて、利用者５０が拡大されて撮影されることが理解できる。したがって、アップ撮影装置１５を移動させてカメラ位置ｘを調整することにより、撮影画像の倍率を調整することができる。
【０１０１】
再び、本体装置１１の後面部における構成の説明に戻ると、アップ撮影装置１５の周囲には、光を拡散透過する拡散透過板１８ｅが配備される。この拡散透過板１８ｅでは、上部の蛍光灯６０ｂから照射された光が拡散透過し、さらには、本体装置１１内で乱反射した上部のストロボランプ６１ａ・６１ａからの光が拡散透過して、利用者５０の前面に照射される。
【０１０２】
また、ディスプレイ２０および拡散透過板１８ｅの両側には、上述の拡散透過板１８ａ・１８ａが配備され、本体装置１１の側面部において、拡散透過版１８ａ・１８ａに繋がる部分には、上述の拡散透過板１８ｂ・１８ｂが配備される。
【０１０３】
また、本体装置１１の後面部において、全身撮影装置１２の両側には拡散透過板１８ｃ・１８ｃが配備される。これらの拡散透過板１８ｃ・１８ｃでは、両側の蛍光灯６０ａ・６０ａおよび下部のストロボランプ６１ｂ・６１ｂからの光が拡散透過して、撮影空間に照射される。また、本体装置１１の側面部において、拡散透過版１８ｃ・１８ｃに繋がる部分には、上述の拡散透過板１８ｄ・１８ｄが配備される。
【０１０４】
また、本体装置１１の上面部には、拡散透過板１８ｆおよび反射器６５が配備される。上部の蛍光灯６０ｂおよび上部のストロボランプ６１ａ・６１ａから上方に向かう光は、拡散透過板１８ｆにて拡散透過し、反射器６５にて後方に反射されて、撮影空間に照射される。
【０１０５】
全身撮影装置１２の下部には、被写体の一部を照射する補助照明手段として機能するスポットライト６２が配備される。該スポットライト６２は、利用者５０のアップ撮影に好適な被写体位置に利用者５０が位置する場合に、利用者５０の顎部を照射するように、上斜め方向に向けて配置される。
【０１０６】
ところで、上述のように、本体装置１１から支柱３１・３１までの遮光幕３３・３３の内側が反射率の低い色であることにより、アップ撮影の利用者５０ａの側面に照射される光量が少なくなるので、利用者５０ａに陰影が生じる。このとき、利用者５０ａの顎部の影など、利用者５０ａが所望しない影をも生じてしまい、利用者の撮影画像に対する満足度を低下させることになる。
【０１０７】
これに対し、スポットライト６２を設けて、利用者５０ａの顎部を照射すると、利用者５０ａが所望しない顎部の影を消去することができ、その結果、利用者５０ａの撮影画像に対する満足度を維持することができる。
【０１０８】
また、スポットライト６２は、利用者５０のアップ撮影に好適な被写体位置に利用者５０が位置する場合に、利用者５０の顎部を照射するように配置されている。ところで、利用者５０ａは、十分満足できる撮影を行うために、スポットライト６２の照射位置にとどまる傾向にある。したがって、アップ撮影の利用者５０ａがアップ撮影装置１５に接近しすぎることを防止でき、露光過多の撮影となることを防止できる。
【０１０９】
なお、スポットライト６２には、利用者５０ａの顔の肌色を好適に演出するために、アンバー（オレンジ）系の光を照射することが望ましい。また、利用者５０ａが所望しない他の陰影を消去するために、別のスポットライトを別の場所に配備することもできる。
【０１１０】
本体装置１１の後面部の適所（図２では、全身撮影装置１２の右隣）には、コイン投入口２２およびコイン返却口２３が配備される。コイン投入口２２は、利用者５０が写真プリントシステム１０の利用料金として所定のコインを所定枚数だけ投入するための投入口である。このコイン投入口２２に連通して、コイン処理部８１が本体装置１１の内部に設けられている。
【０１１１】
コイン処理部８１は、所定のコインが投入されたか否かを判定する。所定のコインが投入されたと判定した場合には、制御装置２７に通知し、投入されたコインを、コインを蓄積するコイン容器（図示せず）に送り出す。一方、所定のコイン以外のコインが投入されたと判定した場合には、投入されたコインをコイン返却口２３に送り出す。
【０１１２】
なお、紙幣やコインを所定のコインに両替する両替機が写真プリントシステム１０の近くに存在しない場合には、新たに紙幣投入口を設けて、紙幣処理部を設けたり、釣銭処理部を設けたりすることが望ましい。
【０１１３】
本体装置１１の前面部の中央部には、図４に示されるように、タッチパネル２４が配備される。タッチパネル２４は、フラットパネルディスプレイやＣＲＴなどの表示面にタッチセンサを設けて構成されている。タッチパネル２４は、本体装置１１の前面において、利用者が見易くかつ操作し易い位置に配備されており、画像編集処理における各種メッセージや画像などを表示するとともに、利用者から各種の指示や選択などが入力される。具体的には、タッチパネル２４には、落書きなどの画像編集処理時における編集対象の画像および各種編集ツールなどが表示される。
【０１１４】
また、画像編集処理における細かな操作入力を利用者が行うために、タッチパネル２４の近傍（図４ではタッチパネル２４の下隣）には、タッチペン２５が配備される。利用者は、このタッチペン２４をタッチパネル２５に接触させることによって、処理の進行に応じて表示されるボタンを選択したり、落書きなどの画像描画を行ったりすることができる。
【０１１５】
ここで、図４に示すように、写真プリントシステム１０にはタッチパネル２４およびタッチペン２５が２組並設されている。これにより、２つのタッチパネル２４・２４にそれぞれに表示された撮影画像に、２人の利用者が同時に落書きなどを入力することができる。
【０１１６】
なお、タッチパネル２４・２４には、異なる撮影画像をそれぞれ表示させることができ、利用者は、別々の撮影画像に対して落書きなどを入力することもできる。また、一方のタッチパネル２４から入力された落書きを他方のタッチパネル２４に反映させる反映処理や落書き可能範囲を制限する処理などを行うことができる。
【０１１７】
また、図３に示されるように、支持枠３０は、上部が前方に突出しており、突出した支持枠３０の両側部および前側部には、それぞれ遮光幕３５・３６が配備される。本体装置１１と遮光幕３５・３６とによって仕切られた空間が編集空間となる。また、編集空間を照明する照明装置５５が、本体装置１１の前面部の上部に配備される。
【０１１８】
プリント出力装置２８は、画像をプリント出力するものであり、図３に示されるように、本体装置１１の内部に配備される。なお、プリント出力装置２８の構成については後述する。プリント排出口２６は、プリント出力装置２８から出力された写真プリントを本体装置１１の外部に排出するものである。プリント排出口２６は、本体装置１１の何れか一方または両方の側面部に配備される。
【０１１９】
制御装置２７は、本体装置１１における各種構成と、背景装置４０との動作を統括的に制御するものであり、本体装置１１の内部に配備される。また、本体装置１１の後面部、前面部、および側面部の適所には、スピーカ２１、２１ｃ、２１ｄがそれぞれ配備される。スピーカ２１・２１ｃ・２１ｄは、各種の音声ガイダンスおよび効果音を出力する。
【０１２０】
次に、本体装置１１および利用者５０の後方に配備され、撮影の背景となる背景装置４０の構成について説明する。なお、背景装置４０は、様々な背景で撮影できるように、複数個配備されることが望ましい。
【０１２１】
背景装置４０は、背景本体４２と、該背景本体４２を端部に移動させることができる背景移動装置４１とを備える構成である。背景本体４２は、カーテン状、シート状など、背景移動装置４１により移動されやすい形状であることが望ましい。また、背景本体４２は、実際の背景用としては、種々の模様および色彩が施されたものが使用され、背景画像の合成用としては、青色、白色などの単色無模様のものが使用される。
【０１２２】
背景移動装置４１としては、図３に示されるように、背景本体４２を上部に巻き込む巻上げ装置や、背景本体４２を左右に移動させることができるカーテンレールやガイドレールなどを利用することができる。なお、背景移動装置４１は、背景本体４２を手動で移動させることもできるし、モータなどの駆動機構を備えることにより背景本体４２を自動的に移動させることもできる。
【０１２３】
背景本体４２の前方には、背景本体４２への光、または背景本体４２からの光を屈曲する光屈曲部品を備えた背景光屈曲装置４３が配備される。ここで、光の屈曲とは、光の進行方向を変更することをいい、光の屈折、反射、回折などを含むものである。背景光屈曲装置４３は、背景への光および背景からの光を様々に変化させることができるから、より多様な背景にすることができる。
【０１２４】
なお、背景光屈曲装置４３は、背景装置４０と同様に、シート状の光屈曲部品を前後に複数枚配備することができる。この場合、さらに複雑な背景にすることができる。
【０１２５】
また、背景光屈曲装置４３には、上述の背景装置４０と同様に、シート状の光屈曲部品を巻き取って収容する巻取り装置を配備したり、カーテン状の光屈曲部品を吊り下げるカーテンレールを配備したりすることにより、光屈曲部品を端部に移動可能にすることもできる。この場合、複数の光屈曲部品の何れかを使用したり、複数の光屈曲部品の幾つかを組み合わせて使用したりすることができ、さらに多様な背景にすることができる。
【０１２６】
また、背景光屈曲装置４３は、利用者５０の前後いずれにも配置できるし、前後に移動可能に配置することもできる。例えば、短冊状の光屈曲部品を利用者５０の前方に配備し、光屈曲部品の間から利用者５０が顔を出すようにすると、利用者５０の顔以外の部分からの光が屈曲されて、より幻想的な撮影画像を取得することができる。
【０１２７】
なお、背景本体４２が光の通る材料で形成されている場合には、図１および図３に示されるように、背景本体４２に光を照射する背景照明装置６３を背景装置４０の後方に配備することもできる。この場合、背景照明装置６３は、背景本体４２を一様に照射することもできるし、背景にアクセントを付けるため、背景本体４２の特定部分に照射することもできる。また、背景照明装置６３は、様々な色の光を照射することもできるし、丸形・三角形・星形・ハート形など様々な形状の光を照射することもできる。これにより、背景を多種多様に演出することができる。
【０１２８】
上記の背景装置４０、背景光屈曲装置４３、および背景照明装置６３は、上述したように、遮光幕３３〜３７を支持する支持枠３０によって支持される。
【０１２９】
次に、利用者の上方に配備される上部照明装置６６について説明する。上部照明装置６６は、筐体６８内にストロボランプ６７を備えた構成であり、支持枠３０の上部に配備される。
【０１３０】
筐体６８の内面には、前面６８ａを除いて、例えば白色のような反射率の高い色が施されている。また、ストロボランプ６７は筐体６８内で繰返し反射するように、照射方向が後方上向きとなるように配置される。
【０１３１】
筐体６８下面の前側には開口部が形成されている。この開口部は、全身撮影装置１２のカメラ１３の撮影領域から外れた領域となっている。これにより、全身撮影時に上部照明装置６６からの光が映り込むことを防止することができる。
【０１３２】
開口部には、乳白色の拡散透過板６９が、その法線方向が前方下向きとなるように配備される。これにより、ストロボランプ６７から照射された光が筐体６８の内面にて反射し、拡散透過板６９を拡散透過することにより、良好な拡散光となって前方下向きに照射される。
【０１３３】
また、筐体の前面６８ａは下方に傾斜しており、前面６８ａの内面には、例えば黒色のような反射率の低い色が施されている。これにより、前面６８ａから後方下向きに反射されて全身撮影の利用者５０ｂに照射される光の光量が過剰となることを防止することができる。
【０１３４】
上記の構成によると、上部照明装置６６からの拡散光は、撮影時に前方下向きに照射され、アップ撮影の利用者５０ａの頭部を後方から照射することになる。これにより、利用者５０ａの頭髪の立体感および質感を撮影画像に表わすことができる。
【０１３５】
図６は、制御装置２７を中心とした写真プリントシステム１０の構成を示している。制御装置２７は、写真プリントシステム１０内における上述した各種構成の動作を統括的に制御するものである。この制御装置２７は、例えばＰＣベースのコンピュータによって構成される。そして、各種構成の動作制御は、制御プログラムをコンピュータに実行させることによって行なわれる。このプログラムは、例えばＣＤ−ＲＯＭなどのリムーバブルメディアに記録されているものを読み出して使用する形態であってもよいし、ハードディスクなどにインストールされたものを読み出して使用する形態であってもよい。また、この制御装置２７がインターネットなどの通信ネットワークに接続された構成とする場合、この通信ネットワークを介して上記プログラムをダウンロードしてハードディスクなどにインストールして実行する形態なども考えられる。
【０１３６】
制御装置２７は、上記したハードディスクなどの不揮発性の記憶装置によって構成される記憶部８０を備える。この記憶部８０に記憶される内容としては、上記した制御プログラム、ＯＳ（Ｏｐｅｒａｔｉｎｇ　Ｓｙｓｔｅｍ）プログラム、およびその他各種プログラム、撮影装置１２・１５における動作設定値、撮影した画像および編集した画像の画像データなどが挙げられる。撮影装置１２・１５における上記動作設定値としては、装置出荷時やメンテナンス時などに設定されるホワイトバランスの値、撮影画像の明暗などを調整する際の画像処理に関する各種パラメータ値などが挙げられる。
【０１３７】
コイン処理装置８１は、前述のように、コイン投入口２２から所定のコインが投入されたと判定すると、制御装置２７に通知するものである。制御装置２７は、コイン処理装置８１からの通知を受け取ると、課金処理を行う。すなわち、制御装置２７は、コイン処理装置８１からの通知をカウントし、利用者が投入した金額に応じて、利用者に対する各種動作を制御する。
【０１３８】
プリント出力装置２８は、プリンタ９１およびＩＤタグリーダ／ライタ９２を備える構成である。このプリント出力装置２８に対して、写真プリントの出力媒体となるプリント紙９３およびＩＤタグ（識別媒体）９４がプリント紙ユニット９０としてセットで納入されるようになっている。
【０１３９】
プリンタ９１は、出力すべき画像データが制御装置２７から送られてくると、その画像データに基づいてプリント紙９３に印刷するものである。このプリンタ９１としては、例えば昇華型プリンタが用いられる。なお、昇華型プリンタを用いる場合には、プリント紙９３およびＩＤタグ９４に加えて、昇華型用インクフィルムがセットととなって納入されることになる。
【０１４０】
ＩＤタグリーダ／ライタ９２は、ＩＤタグ９４に記録されている各種識別情報を読み出して制御装置２７に出力する。ＩＤタグ９４は、メモリ機能を有するＩＣチップなどによって構成されるものである。上記識別情報としては、固有ＩＤ、用紙枚数、用紙種類、および、インク固有の色情報（インクフィルムがセットとなっている場合）などが挙げられる。
【０１４１】
制御装置２７は、ＩＤタグリーダ／ライタ９２で読み取った識別情報に基づいて、装着されたプリント紙９３およびインクフィルムが、当該写真プリントシステム１０において利用可能なものであるかを判定し、利用可能である場合にのみプリンタ９１を動作可能とする。すなわち、写真プリントシステム１０において指定されているプリント紙９３およびインクフィルム以外は使用できないように設定されていることになる。
【０１４２】
また、ＩＤタグ９４に記録されている用紙枚数情報に基づいて、プリント紙の使用ごとに用紙枚数をカウントダウンしていくことによって、残りの用紙枚数を把握することが可能となる。よって、残りの用紙枚数が少なくなってきた際に、これを表示手段などによって警告するような構成としておけば、利用者５０の利用中に用紙切れを起こすというような不具合を回避することが可能となる。
【０１４３】
なお、用紙枚数をカウントダウンする際には、ＩＤタグ９４に記録されている用紙枚数情報も書き換えることが望ましい。これにより、用紙を使い切った場合には、ＩＤタグ９４に記録されている用紙枚数情報も０となり、このＩＤタグ９４を無効にすることが可能となる。
【０１４４】
また、ＩＤタグ９４に記録されている用紙種類情報や、インク固有の色情報を読み出すことによって、これらを考慮して画像データの色成分などを補正することにより、そのプリント紙９３やインクフィルムに的確な画像出力を行うことが可能となる。
【０１４５】
ＩＤタグ９４としては、無線（ワイヤレス）によりデータ通信を行うことが可能な非接触型ＩＤタグと、端子が設けられた接触型ＩＤタグとがあり、ＩＤタグリーダ／ライタ９２としては、これらの何れか一方あるいは両方に対応したものとなる。
【０１４６】
なお、上記の例では、利用可能なプリント紙９３であるか否かを確認するために、ＩＤタグ９４を利用しているが、これに限定されるものではなく、例えば、プリント紙９３およびインクフィルムを梱包する梱包材などにプリントされているバーコードなどを利用する構成としてもよい。しかしながら、バーコードを用いる場合には、含めることのできる情報量が少ないことや、例えば用紙枚数のカウントダウンによる情報の書き換えができない、などの問題がある。
【０１４７】
なお、上記のプリント紙９３としては、通常の紙状媒体である紙状シートであってもよいし、粘着シートおよび該粘着シールの粘着面に貼り付けられている剥離シートからなるシールシートであってもよい。
【０１４８】
上記構成の写真プリントシステム１０において、利用者による撮影から編集、印刷に至るプレイ動作について、図７に基づいて説明する。利用者が写真プリントシステム１０内に進入して（ステップＳ１。以下、単に「Ｓ１」と記載することがある。他のステップについても同様である。）、コイン投入口２２から代金としてコインを投入すると、コイン処理装置８１から制御装置２７にコインの投入が通知されることにより課金処理が行なわれる（Ｓ２）。課金処理が正常に完了したことが確認されると、プレイ動作が開始され、以下の処理が行なわれる。
【０１４９】
まず、撮影処理が行われる（Ｓ３）。撮影処理は主に以下のように行われる。まず、撮影枚数や撮影時間の設定を行う。すなわち、利用者５０の希望する絵柄の背景本体４２を背景移動装置４１によって展開する。これらの操作は、利用者５０が手動で行うこともできるし、利用者５０が遠隔操作機３２を操作することに基づいて、制御装置２７が背景移動装置２６を制御することにより、自動的に行うこともできる。
【０１５０】
次に、撮影の設定が行われる。すなわち、全身撮影装置１２またはアップ撮影装置１５の選択や、撮影アングルの調整が行なわれる。アップ撮影装置１５を選択した場合には、アップ撮影装置１５が手動または自動により本体装置１１から後方の適所に移動させられる。
【０１５１】
次に、全身撮影の場合には、全身撮影装置１２のカメラ１３が撮影するライブビュー画像をＬＣＤ１４に表示し、一方、アップ撮影の場合には、アップ撮影装置１５のカメラ１６が撮影するライブビュー画像をＬＣＤ１７に表示する。利用者５０は、前記ライブビュー画像を参照しつつ所望のポーズをとり、所望のタイミングで遠隔操作機３２の撮影ボタンを押すと、カウントダウン後に撮影が実行される。
【０１５２】
そして、再び撮影を行う場合には、ステップＳ３に戻って上記の撮影処理を繰返し、撮影を終了する場合には、次の編集処理に進む（Ｓ４）。
【０１５３】
次に、撮影処理によって取得された撮影画像に対して画像の編集処理を行う（Ｓ５）。編集処理は、主に以下のように行われる。まず、複数回の撮影により取得された複数の撮影画像をタッチパネル２４に表示し、これら複数の撮影画像の中から落書きなどの編集処理を行う撮影画像の選択を行う。これにより、撮影時に目をつぶってしまったり、不本意な状態で撮影されたりした撮影画像などを排除して、利用者の好みにあった画像を選択することができる。
【０１５４】
次に、選択された撮影画像をタッチパネル２４に表示し、タッチペン２５を用いて、撮影画像に対して色の変更、落書きなどの画像編集を行う。なお、背景本体４２が絵柄のないカーテン、すなわち単色無模様のカーテンである場合には、画像編集処理において背景画像を選択して撮影画像に合成する処理が行なわれる。このとき、本実施形態では、撮影画像の背景に利用者５０の影が映らないので、撮影画像の背景は、明るさが均一である。これにより、撮影画像の被写体と背景画像とを従来よりも精度よく合成することができる。
【０１５５】
そして、別の撮影画像に対して画像編集を行う場合には、上記の編集処理（Ｓ５）を繰返し、画像編集を終了する場合には、次の処理に進む（Ｓ６）。
【０１５６】
次に、写真プリントの出力処理を行う（Ｓ７）。出力処理は、主に以下のように行われるる。まず、プリント紙９３上での分割数または分割パターンを利用者に選択させ、選択された分割領域ごとに、ステップＳ５にて編集処理された編集画像が印刷されるように、プリンタ９１を制御して印刷を行う。その後、プリント排出口１９から印刷された写真プリントが排出されて、利用者のプレイ動作が終了する。
【０１５７】
なお、本発明は上記の実施形態に限定されるものではなく、請求項に示した範囲で種々の変更が可能である。
【０１５８】
例えば、上記の実施形態では、１個のスポットライト６２が本体装置１１の後面部の下方に配備されているが、さらに本体装置１１の後面部の両側、例えば、拡散透過板１８ａ・１８ａの下隅にそれぞれスポットライトを配備して、利用者５０ａの上半身を照射する構成とすることもできる。これにより、複数の利用者５０ａでアップ撮影を行う場合であっても、撮影時に生じる陰影を複数のスポットライトの光で軽減することができ、好適な撮影画像を取得することができる。
【０１５９】
さらに、拡散透過板１８ａ・１８ａの上隅にそれぞれスポットライトを配備し、上方から利用者５０ａを照射する構成とすることもできる。この場合、例えばスポットライトの光の色がアンバー系であれば、利用者の顔の肌色をより好適に演出することができる。
【０１６０】
さらに、拡散透過板１８ａ・１８ａの下隅および上隅の両方にスポットライトを配備すれば、利用者５０ａが舞台に立って撮影されているかのような効果を提供できるため、利用者５０ａがこのように演出された撮影空間でより楽しんで撮影を行うことが期待できる。
【０１６１】
また、上記の実施形態では、利用者５０が写真撮影における各種の操作を行う操作機３２が利用者５０の撮影位置付近に設置されているが、これに限定されるものではなく、利用者５０にとって扱いやすい任意の位置に設置することもできるし、複数の場所に設置することもできる。
【０１６２】
例えば、ディスプレイ２０の近傍に操作機を配備することもできる。一般的な写真プリントシステムの場合、操作機は、表示部の近傍に設けられていることが多いから、このようなシステムに慣れている利用者にとっては、上記の構成とすることにより、操作を違和感無く行うことができる。
【０１６３】
但し、上記の構成の場合、アップ撮影装置１５が後方に引出し可能であるため、利用者が操作中にアップ撮影装置１５と衝突し、特に頭部を負傷するおそれがある。この場合、アップ撮影装置１５が引き出されていることを検出するセンサを設けて、操作が必要な場合でかつアップ撮影装置１５が引き出されている場合には、「上のカメラが引き出されているので頭をぶつけないように注意してね！」といった警告メッセージをスピーカ２１・２１から音声出力し、利用者の注意を喚起することが好ましい。
【０１６４】
また、操作機を本体装置１１の左右、ディスプレイ２０の近傍など、複数の場所に配備した場合には、利用者が最も使いやすい位置で操作することができる。この場合、複数の操作機からの入力については、最初に入力された操作機からのみの操作を受け付けるといった入力排他制御手段を設けることもできる。これにより、混乱することなく入力を受け付けることができるとともに、写真プリントシステムの操作について、クイズの早押し的な面白さを与えることができる。
【０１６５】
また、反射幕１９・１９は、本体装置１１の側面部から引伸しおよび巻取りが可能な構成とすることもできる。この場合、写真プリントシステムの横に剰余のスペースが存在するときには、反射幕１９・１９をさらに引き伸ばすことにより、さらに発光面の拡大された撮影空間を実現することができる。
【０１６６】
さらに、反射幕１９・１９について、幅を左右で異ならせることにより、面積を左右で異ならせることができるから、撮影空間内の明るさを左右で異ならせることができ、通常とは異なった写真撮影を実現することができる。
【０１６７】
また、反射幕１９・１９を本体装置１１の側面に、羽を閉じるように折畳み可能な構成とすることもできる。
【０１６８】
〔実施の形態２〕
本発明の他の実施形態について図９〜図１５に基づいて説明すれば、以下のとおりである。
【０１６９】
本実施形態の写真プリントシステムは、第１実施形態の写真プリントシステムに比べて、アップ撮影装置１５に配備されたピニオン７３（図５を参照。）にロータリーエンコーダ（移動量検知手段）が設けられている点と、該ロータリーエンコーダにより算出されるカメラ位置ｘに基づいて、撮影画像の拡大および／または縮小を行うデジタルズーム処理を行い、デジタルズーム処理された画像をライブビュー画像としてＬＣＤ１７に表示する点とが異なり、その他の構成は同様である。なお、上記実施形態で説明した構成と同様の機能を有する構成には、同一の符号を付して、その説明を省略する。
【０１７０】
第１実施形態の写真プリントシステムでは、アップ撮影装置１５が本体装置１１から突出できる距離が制約されることにより、利用者５０が所望する倍率で撮影できない場合がある。例えば、図８に示されるライブビュー画像を参照すると、第１実施形態の写真プリントシステムでは、撮影範囲は、高倍率でも利用者５０の腰から上の範囲までであり、低倍率でも利用者５０の膝から上の範囲までとなっている。このため、バストショット撮影やフルショット撮影を行いたい利用者５０の要望に応えることができない場合がある。
【０１７１】
これに対し、本実施形態の写真プリントシステムでは、ピニオン７３に設けられたロータリーエンコーダからアップ撮影装置１５のカメラ位置ｘを算出し、算出されたカメラ位置ｘ　　　　に応じて、撮影画像の拡大または縮小を行うデジタルズーム処理を行い、デジタルズーム処理を行った撮影画像をライブビュー画像としてＬＣＤ１７に表示している。
【０１７２】
図９は、本実施形態の写真プリントシステムにおいて、カメラ位置ｘに応じてＬＣＤ１７に表示されるライブビュー画像がどのように変化するかを示している。なお、図９（ａ）〜（ｅ）の状態は、第１実施形態の写真プリントシステムにおける図８（ａ）〜（ｅ）の状態に対応している。
【０１７３】
また、本実施形態のアップ撮影装置１５のカメラ１６には、第１実施形態のアップ撮影装置１５のカメラ１６に比べて、光学倍率が１／２であるレンズ群を使用している。さらに、本実施形態において、デジタルズーム処理による倍率（以下、「デジタルズーム倍率」と称する。）のカメラ位置ｘに対する変化を図１０に示している。なお、同図に記載されている文字ａ〜ｅは、それぞれ図９（ａ）〜（ｅ）の状態に対応している。
【０１７４】
図１０に示されるように、本実施形態のデジタルズーム倍率は、図９（ｂ）の状態で１倍（等倍）であり、同状態よりカメラ位置ｘが大きくなるにつれて増加し、図９（ｃ）の状態で２倍となり、図９（ｄ）の状態で３倍となっている。
【０１７５】
ここで、図９に示される本実施形態のライブビュー画像と、図８に示される第１実施形態のライブビュー画像とを比較する。カメラ位置ｘが５の状態では、図９（ｃ）に示されるライブビュー画像は、図８（ｃ）に示されるライブビュー画像に比べて、撮影範囲が同程度である。
【０１７６】
一方、カメラ位置ｘが５よりも小さい状態では、図９（ｂ）に示されるライブビュー画像は、図８（ｂ）に示されるライブビュー画像に比べて、撮影範囲がより広くなっている。また、カメラ位置ｘが５よりも大きい状態では、図９（ｄ）に示されるライブビュー画像は、図８（ｄ）に示されるライブビュー画像に比べて、撮影範囲がより狭くなっている。このように、本実施形態では、図９（ｂ）に示されるようなフルショット撮影や、同図（ｄ）に示されるようなバストショット撮影を行うことができる。
【０１７７】
したがって、本実施形態の写真プリントシステムは、アップ撮影装置１５が本体装置１１から突出可能である距離が制約される場合であっても、デジタルズーム処理を行うことにより、撮影範囲をさらに広げたり、さらに狭めたりすることができ、撮影範囲に対する利用者の種々の要望に応えることができる。
【０１７８】
また、デジタルズーム処理として撮影画像を拡大する処理のみを行うことにより、以下の効果が得られる。すなわち、カメラ１６と利用者５０との距離を近づけたりすることにより撮影範囲を狭くすると、利用者の各部分のうち、鼻などのようにカメラ１６に近い部分が大きく撮影されるなどの光学歪みが発生し、利用者５０によっては、自身の撮影画像に違和感を覚え、不満に思う場合がある。
【０１７９】
これに対し、撮影範囲をより広くしておき、デジタルズーム処理により撮影画像を拡大し中央部を切り出す処理を行った場合には、利用者の目、鼻、頬などの各部分が等しい倍率で拡大されることになるから、利用者に違和感を与えることなく、満足のいく写真撮影を行うことができる。
【０１８０】
なお、デジタルズーム倍率を、図９（ｃ）の状態で１倍とし、同図（ｃ）の状態よりもカメラ位置ｘが小さくなる場合に１倍未満とし、同図（ｃ）の状態よりもカメラ位置ｘが大きくなる場合に１倍超とするように、撮影画像の拡大および縮小を行うデジタルズーム処理を行ってもよい。
【０１８１】
さらに、本実施形態の写真プリントシステムでは、図９（ａ）の状態、すなわち、アップ撮影装置１５が本体装置１１に最大限収容された状態（カメラ位置ｘが０である状態）でのデジタルズーム処理として、撮影画像の中央部をさらに縮小し、周辺部を拡大する処理（以下、「凹面鏡加工処理」と称する。）を行っている。これにより、利用者５０が中央部に撮影されると、利用者５０がさらに縮小されるとともに背景が歪んだ面白い画像を取得することができる。
【０１８２】
また、図９（ｅ）の状態、すなわち、アップ撮影装置１５が本体装置１１から最大限突出した状態（カメラ位置ｘが１０である状態）でのデジタルズーム処理として、撮影画像の中央部をさらに拡大し、周辺部を縮小する処理（以下、「凸面鏡加工処理」と称する。）を行っている。これにより、利用者５０がさらに拡大されるとともに背景が歪んだ面白い画像を取得することができる。
【０１８３】
なお、カメラ位置ｘが０または１０となったことは、上述のように、ピニオン７３に設けられたロータリーエンコーダから算出することにより検知することができる。その他にも、図９に示されるように、アップ撮影装置１５が移動可能な限界位置に接触センサ７８・７９を設け、接触センサ７８・７９からの信号により、カメラ位置ｘが０または１０となったことを検知してもよい。
【０１８４】
次に、本実施形態の写真プリントシステムの処理動作について説明する。本実施形態の写真プリントシステムの処理動作は、図７に示される写真プリントシステムの処理動作に比べて、撮影処理（Ｓ３）が異なるのみであり、その他の処理は同様である。したがって、以下では、撮影処理について図１１〜図１３に基づいて詳細に説明し、その他の処理についてはその説明を省略する。
【０１８５】
まず、図１１に示されるように、制御装置２７内に設けられた３０秒タイマをスタートする（Ｓ１０）。次に、１ゲーム時間（実施例では２分間）経過したか否かを判断し（Ｓ１１）、経過している場合には撮影処理を終了する。一方、経過していない場合には、ロータリーエンコーダからの信号に基づいてカメラ位置ｘを検知する（Ｓ１２）。
【０１８６】
次に、検知したカメラ位置ｘが、前回検知したカメラ位置ｘと相違するか、或いは同じであるかを判断する（Ｓ１３）。同じである場合には、３０秒タイマがタイムアップしたか否かを判断する（Ｓ１４）。
【０１８７】
タイムアップした場合、すなわちアップ撮影装置１５が３０秒以上移動させられていない場合には、例えば「カメラは動かせるよ！どんどん動かそう。」とのメッセージをディスプレイ２０やスピーカ２１から出力することにより、アップ撮影装置１５が移動可能であることを利用者５０に知らせる（Ｓ１５）。これにより、利用者５０に対して、アップ撮影装置１５が移動可能であることを気付かせたり、アップ撮影装置１５の移動を促したりすることができる。
【０１８８】
なお、ステップＳ１３の処理は、アップ撮影装置１５が移動したか否かを判断すればよいから、アップ撮影装置１５に振動センサを設けて、ステップＳ１２の代わりに、振動センサからの信号を検知する処理を行ってもよい。同様に、アップ撮影装置１５が遠隔操作機３２からの操作により自動的に移動する場合には、ステップＳ１２の代わりに、遠隔操作機３２からの操作信号を検知する処理を行ってもよい。
【０１８９】
このように、ステップＳ１２〜Ｓ１５の処理は、ロータリーエンコーダのようにアップ撮影装置１５の移動量を検知する手段を用いる代わりに、アップ撮影装置１５の移動を直接または間接的に検知する手段を用いてもよい。
【０１９０】
ステップＳ１５の後、３０秒タイマを０から再スタートする（Ｓ１６）。また、ステップＳ１３にて、カメラ位置ｘが前回のカメラ位置ｘと相違する場合には、アップ撮影装置１５が移動させられていることから、ステップＳ１４およびＳ１５を行わずに、３０秒タイマを０から再スタートする（Ｓ１６）。
【０１９１】
ステップＳ１６の後、撮影画像のデジタルズーム加工処理を行う（Ｓ１７）。また、ステップＳ１４にて３０秒タイマが未だタイムアップしていない場合には、ステップＳ１５およびＳ１６を行わずに、撮影画像のデジタルズーム加工処理を行う（Ｓ１７）。
【０１９２】
図１３は、撮影画像のデジタルズーム加工処理の動作を示している。まず、カメラ位置ｘを判断する（Ｓ３０）。カメラ位置ｘが０より大きくかつ１０より小さい場合には、倍率ｙが（１／５）×ｘ＋１となる様にデジタルズーム加工を行う（Ｓ３３）。その後、元の処理に戻る。
【０１９３】
一方、カメラ位置ｘが０である場合には、「凹面鏡加工モード」とのナレーションをディスプレイ２０やスピーカ２１から出力する（Ｓ３１）。次に、撮影画像に対し、倍率ｙが０．５となるようにデジタルズーム加工を行い、さらに凹面鏡加工を行う（Ｓ３２）。その後、元の処理に戻る。
【０１９４】
他方、カメラ位置ｘが１０である場合には、「凸面鏡加工モード」とのナレーションをディスプレイ２０やスピーカ２１から出力する（Ｓ３４）。次に、撮影画像に対し、倍率ｙが４となるようにデジタルズーム加工を行い、さらに凸面鏡加工を行う（Ｓ３５）。その後、元の処理に戻る。
【０１９５】
撮影画像のデジタルズーム加工処理（Ｓ１７）の後、加工された撮影画像をライブビュー画像としてＬＣＤ１７に表示する（Ｓ１８）。次に、図１２に示されるように、撮影ボタンが押されたか否かを判断する（Ｓ１９）。撮影ボタンが押されていない場合には、ステップＳ１１に戻って上記の処理を繰り返す。
【０１９６】
一方、撮影ボタンが押された場合には、ストロボランプの発光およびカメラのシャッタの作動を行って写真撮影を行う（Ｓ２０）。次に、写真撮影により取得された撮影画像に対し、上記と同じデジタルズーム加工処理を行い（Ｓ２１）、加工された撮影画像を今度はディスプレイ２０に表示する（Ｓ２２）。
【０１９７】
次に、ディスプレイ２０に表示された画像でよいか否かを利用者５０に判断させる（Ｓ２３）。ディスプレイ２０に表示された画像では不満な場合には、撮影画像を破棄した後、ステップＳ１１に戻って上記の処理を繰り返す。一方、ディスプレイ２０に表示された画像で満足な場合には、加工された撮影画像を記憶部８０に記憶する（Ｓ２４）。その後、撮影処理を終了する。
【０１９８】
なお、アップ撮影装置１５に光学ズーム機能を有する場合には、デジタルズームと光学ズームとを併用することもできる。図１４は、デジタルズームと光学ズームとを併用した場合において、カメラ位置ｘに対するデジタルズーム倍率の変化を示している。なお、光学ズームは、カメラ位置ｘに対して線形に拡大させるものとする。
【０１９９】
図１４を参照すると、カメラ位置ｘが中央付近（２．５≦ｘ≦７．５）に位置する場合には、デジタルズーム倍率を２倍に固定して、光学ズームのみで拡大・縮小を行っている。これにより、ＬＣＤ１７に表示される画像のズーム倍率の変化を抑えることができ、撮影範囲の微調整を行うことができる。大部分の利用者は、この領域（２．５≦ｘ≦７．５）で調整可能である。
【０２００】
一方、カメラ位置ｘが中央付近よりも本体装置側（０≦ｘ＜２．５）または利用者側（７．５＜ｘ≦１０）に位置する場合には、光学ズームによる拡大または縮小に加えて、カメラ位置ｘに対して線形にデジタルズームによる拡大または縮小処理を行っている。
【０２０１】
この場合、カメラ位置ｘが中央付近から本体装置側に移動すると、光学ズームによる縮小に加えて、デジタルズームによる縮小処理が行われる。これにより、光学ズームのみの場合よりも撮影範囲をさらに広げることができる。また、カメラ位置ｘが中央付近から利用者側に移動すると、光学ズームによる拡大に加えて、デジタルズームによる拡大処理が行われる。これにより、光学ズームのみの場合よりも撮影範囲をさらに狭めることができる。
【０２０２】
また、図１５に示されるように、カメラ位置ｘが中央付近よりも本体装置側に位置する場合には、デジタルズーム倍率を１倍に固定して、光学ズームのみで縮小を行い、さらに凹面鏡加工処理を、カメラ位置ｘが小さくなるに従って歪みが大きくなるように行ってもよい。この場合、カメラ位置ｘが中央付近から本体装置側に移動するにつれて、光学ズームによる縮小に加えて、凹面鏡加工による歪みが大きくなるから、利用者５０の所望する歪みの程度とすることができる。
【０２０３】
同様に、図１５に示されるように、カメラ位置ｘが中央付近よりも利用者側に位置する場合には、デジタルズーム倍率を３倍に固定して、光学ズームのみで拡大を行い、さらに凸面鏡加工処理を、カメラ位置ｘが大きくなるに従って歪みが大きくなるように行ってもよい。この場合、カメラ位置ｘが中央付近から利用者側に移動するにつれて、光学ズームによる拡大に加えて、凸面鏡加工による歪みが大きくなるから、利用者５０の所望する歪みの程度とすることができる。
【０２０４】
なお、アップ撮影装置１５が固定であり、カメラ位置ｘの代わりに光学ズーム倍率に基づいて、図１４または図１５に示されるようにデジタルズーム倍率を変化させても、上記と同様の効果を得ることができる。
【０２０５】
また、アップ撮影装置１５がモータ７１により利用者５０の手によらずに移動させる場合であって、モータ７１にロータリーエンコーダを内蔵している場合には、モータ７１に内蔵したロータリーエンコーダを移動量検知手段として利用すれば良く、ピニオン７３にロータリーエンコーダを設けることは不要となる。
【０２０６】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【０２０７】
【発明の効果】
以上のように、本発明の写真プリントシステムは、被写体を照明する照明手段を備えており、該照明手段は、照射方向が被写体への方向から外れた方向である構成である。
【０２０８】
これにより、被写体が撮影手段に接近することにより被写体と照明手段との距離が短くなっても、照明手段から被写体に直接照射される光量が従来よりも少ないから、被写体に照射される光量の増加量を従来よりも抑えることができる。したがって、撮影手段に被写体が接近しすぎても、被写体の照度の増加を抑えることができ、露光過多の撮影となることを防止できるという効果を奏する。
【０２０９】
さらに、本発明の写真プリントシステムは、以上のように、上記の構成において、上記撮影を行う空間である撮影空間の側方には、上記照明手段からの光を反射する反射手段を備える構成である。
【０２１０】
これにより、照明手段から被写体に直接照射される光量が減少しても、照明手段から反射手段にて反射して被写体に間接照射される光量が増加するから、照明手段の照射方向が被写体への方向から外れることによる被写体の照度の低下を防止できるという効果を奏する。
【０２１１】
また、照明手段からの光は、撮影空間の側方の反射手段にて反射することにより、被写体を回り込んで、被写体の後方の背景幕に達することができる。これにより、背景幕に被写体の影が映ることを防止でき、撮影画像の背景領域が均一な明るさとなるから、撮影画像と背景画像との合成を精度よく行うことができるという効果を奏する。
【０２１２】
さらに、本発明の写真プリントシステムは、以上のように、上記の構成において、上記反射手段は、上記照明手段に近い位置から、上記撮影手段が近接撮影を行う場合に好適な被写体位置に近い位置までは、光の反射率が小さい構成である。
【０２１３】
これにより、被写体の側面に照射される光の量が、被写体の前面に照射される光の量よりも少なくなるので、被写体に陰影が生じ、その結果、立体感のある撮影画像を取得できるという効果を奏する。
【０２１４】
さらに、本発明の写真プリントシステムは、以上のように、上記の構成において、上記近接撮影を行う場合に上記照明手段の照明により上記被写体に生じる不要な陰影を消去するように、被写体の一部を照射する補助照射手段を備える構成である。
【０２１５】
これにより、補助照明手段が被写体の一部を照射することにより、利用者が所望しない陰影を消去でき、その結果、利用者の撮影画像に対する満足度を維持できるという効果を奏する。
【０２１６】
また、補助照明手段を、撮影に好適な被写体位置にいる被写体を照射するように配置すれば、近接撮影の場合に利用者が撮影手段に接近することを防止でき、露光過多の撮影となることを防止できるという効果を奏する。
【０２１７】
また、本発明の写真プリントシステムは、以上のように、利用者の撮影を行う撮影手段と、該撮影に基づいて画像を作成してプリント紙に出力する画像出力手段とを備える写真プリントシステムにおいて、利用者が上記撮影手段を操作する操作手段を撮影に好適な被写体位置付近に備える構成である。
【０２１８】
これにより、利用者は、撮影手段を操作して撮影を行うときには、撮影手段を操作する操作手段の存在する位置、すなわち、撮影に好適な被写体位置付近にとどまる必要があるので、利用者が撮影手段に近づきすぎることを防止でき、露光過多の撮影となることを防止できるという効果を奏する。
【０２１９】
また、本発明の写真プリントシステムは、以上のように、被写体の撮影を行う撮影手段と、該撮影に基づいて画像を作成してプリント紙に出力する画像出力手段とを備える写真プリントシステムにおいて、上記撮影手段は、被写体の方に移動可能に配備される構成である。
【０２２０】
これにより、被写体を撮影手段に接近させたい場合に撮影手段を被写体の方に移動させると、たとえ被写体が撮影手段に接近しすぎても、被写体が照明手段に接近しすぎることにはならないから、被写体の照度が過度に増加することがなく、したがって、露光過多の撮影となることを防止できる効果を奏する。
【０２２１】
さらに、本発明の写真プリントシステムは、以上のように、上記の構成において、上記撮影手段の移動を検知する移動検知手段をさらに備える構成である。
【０２２２】
これにより、移動検知手段が撮影手段の移動を検知しない場合には、スピーカの音声出力やディスプレイの画像出力などにより、撮影手段が移動可能であることを利用者に知らせたり、撮影手段を移動させることを利用者に促したりすることができるという効果を奏する。
【０２２３】
さらに、本発明の写真プリントシステムは、以上のように、上記の構成において、上記移動検知手段は、上記撮影手段の移動量を検知する移動量検知手段である。
【０２２４】
これにより、撮影手段の移動量に応じて、移動量、残りの移動可能量などの種々の通知を利用者に行うことができるとともに、撮影用照明装置の光量などの各種設定を最適に調整することができるという効果を奏する。
【０２２５】
さらに、本発明の写真プリントシステムは、以上のように、上記の構成において、上記撮影手段の撮影により取得された撮影画像を表示する撮影画像表示手段と、上記移動量検知手段が検知した移動量に基づいて、上記撮影画像を拡大および／または縮小するデジタルズーム処理を行うデジタルズーム手段とをさらに備えており、上記撮影画像表示手段は、デジタルズーム手段によってデジタルズーム処理された画像を撮影画像として表示する構成である。
【０２２６】
これにより、撮影手段の移動のみでは不十分な被写体の拡大撮影または縮小撮影をデジタルズーム処理で補うことができ、被写体の十分な拡大撮影または縮小撮影を行うことができるという効果を奏する。また、デジタルズーム処理された画像を撮影画像として撮影画像表示手段に表示することにより、利用者が撮影画像表示手段に表示された画像を参照しながら、適当な倍率で撮影できるという効果を奏する。
【０２２７】
また、本発明の写真プリントシステムは、以上のように、撮影手段は、光学ズーム機能を有しており、上記撮影手段の撮影により取得された撮影画像を表示する撮影画像表示手段と、上記撮影手段の光学ズーム機能による倍率に基づいて、上記撮影画像を拡大および／または縮小するデジタルズーム処理を行うデジタルズーム手段とをさらに備えており、上記撮影画像表示手段は、デジタルズーム手段によってデジタルズーム処理された画像を撮影画像として表示する構成である。
【０２２８】
これにより、撮影手段の光学ズームのみでは不十分な被写体の拡大撮影または縮小撮影をデジタルズーム処理で補うことができ、被写体の十分な拡大撮影または縮小撮影を行うことができるという効果を奏する。また、デジタルズーム処理された画像を撮影画像として撮影画像表示手段に表示することにより、利用者が撮影画像表示手段に表示された画像を参照しながら、適当な倍率で撮影できるという効果を奏する。
【０２２９】
さらに、本発明の写真プリントシステムは、以上のように、上記の構成において、上記デジタルズーム手段は、上記撮影画像に関して、中央部を拡大すると共に周辺部を縮小する処理、または中央部を縮小すると共に周辺部を拡大する処理をさらに行う構成である。
【０２３０】
これにより、被写体が中央部に撮影されると、被写体が適当に拡大または縮小されるとともに、背景が歪んだ面白い画像を取得することができる。
【０２３１】
また、本発明の写真プリントシステムの制御方法は、以上のように、移動検知手段が撮影手段の移動を所定期間検知しない場合には、上記撮影手段が移動可能であることを、情報提供手段が利用者に通知するように制御する方法である。
【０２３２】
これにより、上述のように、撮影手段が移動可能であることを利用者に知らせたり、撮影手段を移動させることを利用者に促したりすることができるという効果を奏する。
【０２３３】
また、本発明の写真プリントシステムの制御方法は、以上のように、移動量検知手段が検知した移動量に基づいて、撮影画像を拡大および／または縮小するデジタルズーム処理を行い、該デジタルズーム処理された画像を撮影画像として上記撮影画像表示手段に表示させる方法である。
【０２３４】
これにより、撮影手段の移動のみでは不十分な被写体の拡大撮影または縮小撮影をデジタルズーム処理で補うことができ、被写体の十分な拡大撮影または縮小撮影を行うことができるという効果を奏する。また、デジタルズーム処理された画像を撮影画像として撮影画像表示手段に表示することにより、利用者が撮影画像表示手段に表示された画像を参照しながら、適当な倍率で撮影できるという効果を奏する。
【０２３５】
さらに、本発明の写真プリントシステムの制御方法は、以上のように、上記の方法において、上記デジタルズーム処理は、上記撮影手段が上記被写体に最接近した位置付近に移動する場合には、上記撮影画像に関して中央部を拡大すると共に周辺部を縮小する処理を行い、上記撮影手段が上記被写体から最離間した位置付近に移動する場合には、上記撮影画像に関して中央部を縮小すると共に周辺部を拡大する処理を行い、かつその他の場合には、上記撮影画像を等倍で拡大または縮小する処理を行う方法である。
【０２３６】
これにより、撮影手段の移動限界点付近に移動する場合には、中央部と周辺部とで倍率の異なる画像を取得でき、歪んだ面白い画像を取得できるという効果を奏する。また、撮影手段がその他の位置に移動する場合には、中央部と周辺部とで倍率の等しい画像を取得することができ、正確な拡大画像または縮小画像を取得できるという効果を奏する。したがって、利用者に正確な撮影画像と面白い撮影画像との両方を提供できるという効果を奏する。
【０２３７】
また、本発明の写真プリントシステムの制御方法は、以上のように、撮影手段の光学ズーム機能による倍率に基づいて、撮影画像を拡大および／または縮小するデジタルズーム処理を行い、該デジタルズーム処理された画像を撮影画像として上記撮影画像表示手段に表示させる方法である。
【０２３８】
これにより、撮影手段の光学ズームのみでは不十分な被写体の拡大撮影または縮小撮影をデジタルズーム処理で補うことができ、被写体の十分な拡大撮影または縮小撮影を行うことができるという効果を奏する。また、デジタルズーム処理された画像を撮影画像として撮影画像表示手段に表示することにより、利用者が撮影画像表示手段に表示された画像を参照しながら、適当な倍率で撮影できるという効果を奏する。
【０２３９】
さらに、本発明の写真プリントシステムの制御方法は、以上のように、上記の方法において、上記デジタルズーム処理は、上記撮影手段の光学ズーム機能による倍率が最大付近となる場合には、上記撮影画像に関して中央部を拡大すると共に周辺部を縮小する処理を行い、上記倍率が最小付近となる場合には、上記撮影画像に関して中央部を縮小すると共に周辺部を拡大する処理を行い、かつその他の場合には、上記撮影画像を等倍で拡大または縮小する処理を行う方法である。
【０２４０】
これにより、撮影手段の光学ズーム機能による倍率が限界点付近に移動する場合には、中央部と周辺部とで倍率の異なる画像を取得でき、歪んだ面白い画像を取得できるという効果を奏する。また、撮影手段がその他の位置に移動する場合には、中央部と周辺部とで倍率の等しい画像を取得でき、正確な拡大画像または縮小画像を取得できるという効果を奏する。したがって、利用者に正確な撮影画像と面白い撮影画像との両方を提供できるという効果を奏する。
【０２４１】
なお、上記の写真プリントシステムの制御方法を写真プリントシステムの制御プログラムとしてコンピュータに実行させることができる。さらに、上記写真プリントシステムの制御プログラムをコンピュータ読取り可能な記録媒体に記憶させることにより、任意のコンピュータ上で上記写真プリントシステムの制御方法を実行させることができる。
【０２４２】
また、本発明のプリント紙ユニットは、以上のように、上記の写真プリントシステムに用いられるプリント紙ユニットであって、画像が印刷されるプリント紙と、上記プリント紙に関する識別情報を記録する識別媒体とを備え、上記写真プリントシステムに備えられた識別情報読取手段によって、上記識別媒体に記録されている識別情報が読み取られ、その内容が確認された上で上記プリント紙に画像が出力される構成である。
【０２４３】
これにより、写真プリントシステムにおいて指定されているプリント紙以外は使用できないように設定することが可能となるという効果を奏する。
【０２４４】
また、識別情報に用紙枚数情報を含ませることによって、プリント紙を使用するごとに用紙枚数をカウントダウンすることにより、残りの用紙枚数を把握することが可能となるという効果を奏する。
【０２４５】
また、識別情報に用紙種類情報を含ませることによって、これらを考慮して画像データの色成分などを補正することにより、その用紙やインクフィルムに的確な画像出力を行うことが可能となるという効果を奏する。
【図面の簡単な説明】
【図１】本発明の一実施形態である写真プリントシステムにおいて、照明装置からの光の進行方向を示す平面図である。
【図２】上記写真プリントシステムの内部構成を示す斜視図であり、特に、本体装置の後面の外観を示している。
【図３】上記写真プリントシステムの内部構成を示す側面図である。
【図４】上記本体装置の前面の外観を示す斜視図である。
【図５】上記本体装置におけるアップ撮影装置とその収容部とを示す分解組立図である。
【図６】上記写真プリントシステムの概略構成を示すブロック図である。
【図７】上記写真プリントシステムにおける処理の流れを示すフローチャートである。
【図８】同図（ａ）〜（ｅ）は、上記写真プリントシステムにおいて、ＬＣＤに表示されるライブビュー画像のカメラ位置に対する変化を示す図である。
【図９】同図（ａ）〜（ｅ）は、本発明の他の実施形態である写真プリントシステムにおいて、ＬＣＤに表示されるライブビュー画像のカメラ位置に対する変化を示す図である。
【図１０】上記写真プリントシステムにおいて、カメラ位置に対するデジタルズーム倍率の変化を示すグラフである。
【図１１】上記写真プリントシステムにおいて撮影処理の動作を示すフローチャートである。
【図１２】上記写真プリントシステムにおいて撮影処理の動作を示すフローチャートである。
【図１３】図１１および図１２に示される撮影画像のデジタルズーム加工処理の動作を示すフローチャートである。
【図１４】上記写真プリントシステムにおいて、カメラ位置に対するデジタルズーム倍率の変化の別の例を示すグラフである。
【図１５】上記写真プリントシステムにおいて、カメラ位置に対するデジタルズーム倍率の変化の他の例を示すグラフである。
【符号の説明】
１０　　写真プリントシステム
１１　　本体装置
１２　　全身撮影装置（撮影手段）
１５　　アップ撮影装置（撮影手段）
１７　　ＬＣＤ（撮影画像表示手段）
１８　　拡散透過板（照明手段）
１９　　反射幕（反射手段）
２０　　ディスプレイ（情報提供手段）
２１　　スピーカ（情報提供手段）
２８　　プリント出力装置（画像出力手段）
３２　　遠隔操作機（操作手段、移動検知手段）
３３　　遮光幕（反射手段）
３４　　遮光幕（反射手段）
５０　　利用者（被写体）
６０　　蛍光灯（照明手段）
６１　　ストロボランプ（照明手段）
６２　　スポットライト（補助照射手段）
６４　　反射壁（照明手段）
９１　　プリンタ（画像出力手段）
９２　　ＩＤタグリーダ／ライタ（識別情報読取手段）
９３　　プリント紙
９４　　ＩＤタグ（識別媒体）
【図１】
2004145245.tif 000003
【図２】
2004145245.tif 000004
【図３】
2004145245.tif 000005
【図４】
2004145245.tif 000006
【図５】
2004145245.tif 000007
【図６】
2004145245.tif 000008
【図７】
2004145245.tif 000009
【図８】
2004145245.tif 000010
【図９】
2004145245.tif 000011
【図１０】
2004145245.tif 000012
【図１１】
2004145245.tif 000013
【図１２】
2004145245.tif 000014
【図１３】
2004145245.tif 000015
【図１４】
2004145245.tif 000016
【図１５】
2004145245.tif 000017